(57)【特許請求の範囲】
【請求項１】
文字情報等の入力時に使用する操作部と、前記操作部の操作時にモニター音を発することが可能であるスピーカと、前記操作部の操作時にモニター音を発するか否かを制御する制御部を備える携帯通信機器において、
文字入力機能の起動時に、予めユーザにより設定されたモニター音の設定によらず前記スピーカより発音されるモニター音を前記制御部の制御により自動的にオフに設定し、文字入力機能の終了時に、前記ユーザにより設定されたモニター音の設定へ自動的に復帰することを特徴とした携帯通信機器。
【請求項２】
文字情報等の入力時に使用する操作部と、前記操作部の操作時にモニター音を発することが可能であるスピーカと、前記操作部の操作時にモニター音を発するか否かを制御する制御部と、集音のためのマイクとを有し、予め設定された音の大きさ又は音圧値に対する閾値と、前記マイクから入力された音の大きさ又は音圧値との比較を行うことが可能である携帯通信機器において、
文字入力機能の起動時に、前記マイクから入力された音の大きさ又は音圧値が予め設定された音の大きさ又は音圧値に対する閾値よりも大きいと判断されたとき、予めユーザにより設定されたモニター音の設定によらず前記スピーカより発音されるモニター音を前記制御部の制御により自動的にオンに設定し、文字入力機能の終了時に、前記ユーザにより設定されたモニター音の設定へ自動的に復帰することを特徴とした携帯通信機器。
【請求項３】
文字情報等の入力時に使用する操作部と、前記操作部の操作時にモニター音を発することが可能であるスピーカと、前記操作部の操作時にモニター音を発するか否かを制御する制御部と、集音のためのマイクとを有し、予め設定された音の大きさ又は音圧値に対する閾値と、前記マイクから入力された音の大きさ又は音圧値との比較を行うことが可能である携帯通信機器において、
文字入力機能の起動時に、前記マイクから入力された音の大きさ又は音圧値が予め設定された音の大きさ又は音圧値に対する閾値よりも小さいと判断されたとき、予めユーザにより設定されたモニター音の設定によらず前記スピーカより発音されるモニター音を前記制御部の制御により自動的にオフに設定し、文字入力機能の終了時に、前記ユーザにより設定されたモニター音の設定へ自動的に復帰することを特徴とした携帯通信機器。
【発明の詳細な説明】
【０００１】
【産業上の利用分野】
本発明は、キー操作により情報入力し、その情報又はその操作内容が表示可能な表示部を備え、電子メール等の情報の送受信及び表示が可能な携帯通信機器に関する。
【０００２】
【従来の技術】
キー操作により情報を入力し、その情報又はその操作内容を表示可能で、また電子メール等の情報の送受信及び表示が可能な携帯通信機器として、例えば携帯電話がある。一般的な携帯電話の構成は、図１に示すように、携帯電話は、キー操作する操作部（１）と、音声通話の入力用のマイク（２）と、入力された音声信号をデジタル信号等所定の信号形態に変換する音声入力部（３）と、操作キー又はマイクより入力された入力情報を送信可能な形態に変換処理するＣＰＵ（４）と、入力されたあるいは受信された文字情報または画像情報等の可視情報を表示する表示部（５）と、送信すべき情報を送信処理する送信部（６）と情報を無線回線を通じて送受信するためのアンテナ（７）と、アンテナ（７）より受信された情報を上記ＣＰＵ（４）で処理できる形態に変換する受信部（８）と、情報の送受信を切り替えるデュプレクサ（９）と、ＣＰＵ（４）にて受信された音声情報を音声出力を行うスピーカ（１０）とで構成される。
【０００３】
該携帯電話機においてメール作成、送信を行う場合、携帯電話の操作部（１）を使って文字情報を入力する。この場合、キー操作に伴って、キーモニター音の出力のオン、オフを切り替えることができる。キーモニター音をオンに設定していると、一つのキーを押す毎にモニター音が出力される。また、キーモニター音をオフに設定していると、キー操作を行っても、全くキーモニター音は出力されない。
【０００４】
【発明が解決しようとする課題】
上記のように、従来技術では、キーモニター音をオンに設定していると、常に一つの操作キーを押す毎にキーモニター音が発せられる。この場合、メール作成時及びメール文書入力中は、キー操作が頻繁になりキー入力数が多くなるため、キーモニター音の発生が非常に多くなる。周辺の騒音が大きい場合は、該キーモニター音は気にならないが、周囲が静かな場合や電車に乗っている場合などは、キーモニター音が周囲の人にとっての騒音となり不快感を与えることになる。
【０００５】
一方、発呼のために電話番号を入力する場合は、使用者は確認のためにキーモニター音を発したい。しかし、キーモニター音をオフに設定していると、この要望は満たすことができないし、キーモニター音をオンに設定していると、上記のような問題が発生する。発呼のための電話番号入力のたび毎にキーモニター音の設定を変更するのは非常に煩わしい操作になる。
【０００６】
【課題を解決するための手段】
本願発明は、上記問題に鑑みてなされたものであり、文字情報等の入力時に使用する操作部と、操作部の操作時にモニター音を発することが可能であるスピーカと、操作部の操作時にモニター音を発するか否かを設定する制御部を備える携帯通信機器において、文字入力機能の起動時に、スピーカより発音されるモニター音を制御部により自動的にオフに切り替えることを特徴とする携帯通信機器である。
【０００７】
また、文字情報等の入力時に使用する操作部と、操作部の操作時にモニター音を発することが可能であるスピーカと、操作部の操作時に前記モニター音を発するか否かを設定する制御部と、集音のためのマイクと、音の大きさ又は音圧値に対する予め設定された閾値とを有し、マイクから入力された音の大きさ又は音圧値と、閾値の比較を行うことが可能である携帯通信機器において、文字入力機能の起動時に、比較の結果がマイクから入力された音の大きさ又は音圧値が閾値よりも小さいと判断されたとき、スピーカより発音されるモニター音を、制御部により自動的にオフに切り替えることを特徴とする携帯通信機器である。
【０００８】
一方、文字情報等の入力時に使用する操作部と、操作部の操作時にモニター音を発することが可能であるスピーカと、操作部の操作時に前記モニター音を発するか否かを設定する制御部と、集音のためのマイクと、音の大きさ又は音圧値に対する予め設定された閾値とを有し、マイクから入力された音の大きさ又は音圧値と、閾値の比較を行うことが可能である携帯通信機器において、文字入力機能の起動時に、比較の結果が前記マイクから入力された音の大きさ又は音圧値が閾値よりも大きいと判断されたとき、スピーカより発音されるモニター音を、制御部により自動的にオンに切り替えることを特徴とする携帯通信機器である。
【００１０】
【発明の実施例】
以下、本発明の実施例を、図面に沿って具体的に説明する。
【００１１】
本発明に係る携帯電話機の構成は、図１に示す通りで、従来と同様であるため、ここでは説明を省略する。ここでは、本発明の特徴である、ＣＰＵ（５）で処理される入力アルゴリズムについて説明を行う。
【００１２】
本発明の第一の実施例を図２に示す。携帯電話の電源がオンされる（ステップ２１）とイニシャル処理によりＣＰＵの各ポートが設定される（ステップ２２）。その後、携帯電話の各機能が、工場出荷時もしくはユーザが予め設定したデフォルトに設定される（ステップ２３）。このとき、キーモニター音は、待ち受け及び発着呼時を鑑みて設定されることになる。即ち、例えば、ユーザが発呼時に、電話番号入力に応じてキーモニター音を発したい場合は、キーモニター音をオンに設定し、ユーザが発呼時にキーモニター音の発生を必要としない場合は、キーモニター音をオフに設定しておく。
【００１３】
次に、メール入力を行わない場合は（ステップ２５）、待ち受け状態或いは発呼などの通常動作を行い（ステップ２４）、メールを入力する場合は（ステップ２５）、キーモニター音の設定をオフに自動的に切り替える（ステップ２６）。さらに詳しくは、例えばメール作成機能を起動した場合、自動的にキーモニター音の設定をオフにする。
【００１４】
メールの入力が終了すると（ステップ２７）、キーモニター音の設定は、デフォルトの設定に戻される（ステップ２３）。
【００１５】
次に、本発明の第二の実施例を図３に示す。携帯電話の電源がオンされる（ステップ３１）とイニシャル処理によりＣＰＵの各ポートが設定される（ステップ３２）。その後、携帯電話の各機能が、工場出荷時もしくはユーザが予め設定したデフォルトに設定される（ステップ３３）。このとき、キーモニター音は、待ち受け及び発着呼時を鑑みて設定されることになる。即ち、例えば、ユーザが発呼時に、電話番号入力に応じてキーモニター音を発したい場合は、キーモニター音をオンに設定し、ユーザが発呼時にキーモニター音の発生を必要としない場合は、キーモニター音をオフに設定しておく。
【００１６】
次に、メール入力を行わない場合は（ステップ３５）、待ち受け状態或いは発呼などの通常動作を行う（ステップ３４）。一方、例えばメール作成機能を起動した場合など、メールを入力する場合は（ステップ３５）、マイクより周囲騒音を検出し（ステップ３６）、周囲騒音の大きさ又は音圧値が予め設定された閾値以上の場合は（ステップ３７）、キーモニター音をオンに設定する（ステップ３８）。また、該周囲騒音の大きさ又は音圧値が予め設定された閾値未満場合は（ステップ３７）、キーモニター音をオフに設定する（ステップ３９）。
【００１７】
メールの入力が終了すると（ステップ４０）、キーモニター音の設定は、デフォルトの設定に戻される（ステップ３３）。
【００１８】
次に、本発明の第三の実施例を図４に示す。携帯電話の電源がオンされる（ステップ４１）とイニシャル処理によりＣＰＵの各ポートが設定される（ステップ４２）。その後、携帯電話の各機能が、工場出荷時もしくはユーザが予め設定したデフォルトに設定される（ステップ４３）。
【００１９】
次に、マイクより周囲騒音を検出し（ステップ４４）、周囲騒音の大きさ又は音圧値が予め設定された閾値以上の場合は（ステップ４５）、キーモニター音をオンに設定する（ステップ４６）。また、該周囲騒音の大きさ又は音圧値が予め設定された閾値未満場合は（ステップ４５）、キーモニター音をオフに設定する（ステップ４７）。
【００２０】
待ち受け状態や発着呼操作等の通常動作であるか、メール作成動作であるかに関わらず、上記ステップ４４〜４７の動作は、連続的或いは間欠的に繰り返される。従って、携帯電話の動作の種類に関わらず、キーモニター音は、周囲騒音の大きさに応じてオン、オフが自動的に切り替えられる。
【００２１】
また、本発明の第二及び第三の実施例で記述した上記閾値は、工場出荷時に設定がなされるが、ユーザが閾値を変更できるようにしても構わない。工場出荷時の閾値は、一つの例として、キーモニター音の大きさとしても構わない。
【００２２】
また、本発明の第二の実施例におけるステップ３８及び第三の実施例におけるステップ４６では、キーモニター音をオンにする例を記述したが、デフォルトの設定を維持するようにしても構わない。
【００２３】
さらに、本願発明は、上記の実施例に制限されるものではなく、本願発明の技術的思想が使用される様々な方法がある。
【００２４】
【発明の効果】
本発明に係る携帯通信機器によれば、ダイヤル入力とメール入力で、キーモニター音のオン、オフ設定を手動で切り替えなくても、その時の状況に応じてキーモニター音のオン、オフが自動的に切り替えられる。従って、ダイヤル入力であるか、メール作成であるかや、周囲騒音の状況によって、ユーザが手動でキーモニター音を設定し直す煩わしさが解消される。
【００２５】
また、周囲の状況に応じてキーモニター音が自動的にオン、オフされるため、周囲の人への迷惑防止にもつながる。
【図面の簡単な説明】
【図１】本発明及び従来技術における携帯電話機の構成を示すブロック図である。
【図２】本発明の第一の実施例のフローチャート。
【図３】本発明の第二の実施例のフローチャート。
【図４】本発明の第三の実施例のフローチャート。
【符号の説明】
１    操作部
２    マイク
３    音声入力部
４    ＣＰＵ
５    表示部
６    送信部
７    アンテナ
８    受信部
９    デュプレクサ
１０  スピーカ
【図１】
0003806592.tif 000002
【図２】
0003806592.tif 000003
【図３】
0003806592.tif 000004
【図４】
0003806592.tif 000005